(57)【特許請求の範囲】
【請求項１】
洗浄水を貯水する洗浄水タンク装置であって、
洗浄水が貯水され、底面に排水口が形成された貯水タンクと、
この貯水タンクの上方に固定され、前記貯水タンク側に洗浄水を流入させる流入口が形成された手洗い鉢を備えた蓋体と、
前記貯水タンク及び前記手洗い鉢に洗浄水を給水する給水装置と、
前記排水口を取り囲むように前記貯水タンクの底面から上方に延びる側面を有し、その上面が開放されると共に前記側面に開口部が形成された筒体と、この筒体の開口部を開閉する切替弁と、前記筒体の内方に設けられると共に前記流入口の下方に配置され、洗浄水を貯水すると共にその洗浄水を排出する小穴が形成された貯水筒と、この貯水筒の貯水部内に配置されたフロートと、前記貯水筒内の水位の低下に伴う前記フロートの下降に連動して下降し前記排水口を閉止する弁体と、を備えた排水装置と、
前記流入口から流入する洗浄水を受け止める受部と、この受部の外周縁に形成された縦壁部と、この縦壁部に開口され洗浄水を前記貯水タンクへ導く導水口と、を備えた導水部材と、
を有し、
前記導水口は、一端から他端に向けて突出したリブを備えた洗浄水タンク装置。
【請求項２】
前記リブは、一端から他端に向けて高さが小さくなる請求項１に記載の洗浄水タンク装置。
【請求項３】
請求項１又は２に記載の洗浄水タンク装置を備えた水洗大便器。
【発明の詳細な説明】
【技術分野】
【０００１】
本発明は、洗浄水を貯水する洗浄水タンク装置、及び、その洗浄水タンク装置を備えた水洗大便器に関する。
【背景技術】
【０００２】
排水口を取り囲むように貯水タンクの底面から上方に延びる側面を有し、その上面が開放されると共に側面に開口部が形成された筒体と、この筒体の開口部を開閉する切替弁と、筒体の内方に設けられると共に蓋体の手洗い鉢に形成された流入口の下方に配置され、洗浄水を貯水すると共にその洗浄水を排出する小穴が形成された貯水筒と、この貯水筒内に配置されたフロートと、貯水筒内の水位の低下に伴うフロートの下降に連動して下降し排水口を閉止する弁体と、を備えた排水装置を備えた洗浄水タンク装置が知られている。
【０００３】
この種の排水装置においては、貯水筒に手洗い鉢からの洗浄水が流入すると、貯水筒の水位の低下速度が遅くなり、又は、水位が低下しなくなり、閉弁のタイミングが遅れて便器に供給される洗浄水の洗浄量が所望の洗浄量より多くなり、又は、閉弁せずに便器に洗浄水が供給し続けられる状態が続き、近年の節水ニーズに反するという問題がある。
この問題を解決するために、蓋体の手洗い鉢に形成された流入口から貯水タンクに流入する洗浄水を、排水装置の貯水筒の外方に導く導水口を備えた導水部材により、流入口から貯水筒に洗浄水が流入することを抑制することが考えられる（例えば、特許文献１参照）。
【先行技術文献】
【特許文献】
【０００４】
【特許文献１】特許第５３９２５７２号公報
【発明の概要】
【発明が解決しようとする課題】
【０００５】
上述した洗浄水タンク装置は、例えば、蓋体の手洗い鉢に形成された流入口から貯水タンクに流入する洗浄水の勢いが弱い場合、導水口から貯水タンクへと向かう洗浄水の勢いも比較的弱くなり、洗浄水が導水口の底面から導水部材の裏面を伝い、貯水筒へと流入するおそれがある。
【０００６】
本発明は、上述した問題を解決するためになされたものであり、手洗い排水が比較的低流量の場合においても洗浄水が貯水筒へと流入することを抑制することが可能な洗浄水タンク装置を提供することを目的とする。
【課題を解決するための手段】
【０００７】
本発明は、洗浄水を貯水する洗浄水タンク装置であって、洗浄水が貯水され、底面に排水口が形成された貯水タンクと、この貯水タンクの上方に固定され、前記貯水タンク側に洗浄水を流入させる流入口が形成された手洗い鉢を備えた蓋体と、前記貯水タンク及び前記手洗い鉢に洗浄水を給水する給水装置と、前記排水口を取り囲むように前記貯水タンクの底面から上方に延びる側面を有し、その上面が開放されると共に前記側面に開口部が形成された筒体と、この筒体の開口部を開閉する切替弁と、前記筒体の内方に設けられると共に前記流入口の下方に配置され、洗浄水を貯水すると共にその洗浄水を排出する小穴が形成された貯水筒と、この貯水筒の貯水部内に配置されたフロートと、前記貯水筒内の水位の低下に伴う前記フロートの下降に連動して下降し前記排水口を閉止する弁体と、を備えた排水装置と、前記流入口から流入する洗浄水を受け止める受部と、この受部の外周縁に形成された縦壁部と、この縦壁部に開口され洗浄水を前記貯水タンクへ導く導水口と、を備えた導水部材と、を有し、前記導水口は、一端から他端に向けて突出したリブを備えた洗浄水タンク装置である。
【０００８】
このように構成された本発明においては、リブにより導水口の断面積が狭まり、洗浄水の流速を上げることができる。従って、手洗い排水が比較的低流量の場合に導水部材の底面を水が伝うことを抑制することができる。
【０００９】
本発明は、さらに、前記リブは、一端から他端に向けて高さが小さくなる構成としてもよい。
【００１０】
このように構成された本発明においては、手洗い排水が比較的高流量の場合において、導水部材から洗浄水が溢れ出ることを抑制することができる。
【００１１】
本発明は、また、前記洗浄水タンク装置を備えた水洗大便器である。
【００１２】
このように構成された本発明においては、リブにより導水口の断面積が狭まり、洗浄水の流速を上げることができる。従って、手洗い排水が比較的低流量の場合に導水部材の底面を水が伝うことを抑制することができる。
【発明の効果】
【００１３】
本発明の洗浄水タンク装置によれば、手洗い排水が比較的低流量の場合においても洗浄水が貯水筒へと流入することを抑制することが可能となる。
【図面の簡単な説明】
【００１４】
【図１】本発明の一実施形態に係る水洗大便器の断面図。
【図２】本発明の一実施形態に係る洗浄水タンク装置の正面断面図。
【図３】本発明の一実施形態による洗浄水タンク装置の排水装置の分解斜視図。
【図４】本発明の一実施形態による洗浄水タンク装置の排水装置の断面図。
【図５】本発明の一実施形態による洗浄水タンク装置の排水装置の制御筒の斜視図。
【図６】本発明の一実施形態による洗浄水タンク装置の排水装置の斜視図。
【図７】本発明の一実施形態による洗浄水タンク装置の導水部材の斜視図。
【発明を実施するための形態】
【００１５】
以下、図面を参照して本発明の一実施形態に係る洗浄水タンク装置及びその洗浄水タンク装置を備えた水洗大便器について説明する。
まず、図１により本発明の一実施形態に係る水洗大便器の構成について説明する。図１は本発明の一実施形態に係る水洗大便器の断面図である。
【００１６】
図１に示すように、洗落し式の水洗大便器１は、便器本体２を備え、この便器本体２にはボウル部４と、導水路６と、ボウル部４の下部と連通する排水トラップ管路８がそれぞれ形成されている。便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部を洗浄するようになっている。
【００１７】
ボウル部４の下方には、一点鎖線で貯留面Ｗ０が示された溜水部１４が形成されている。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ０の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００１８】
便器本体２の導水路６の上方には、便器本体２に供給する洗浄水を貯水する洗浄水タンク装置１８が設けられている。後述するように、洗浄水タンク装置１８の貯水タンク２２の底部には、便器本体２の導水路６と連通する排水口２２ａが形成され、貯水タンク２２内の洗浄水が導水路６へと排水されるようになっている。
【００１９】
次に、図２により洗浄水タンク装置１８の構成について説明する。図２は本発明の一実施形態に係る洗浄水タンク装置の正面断面図である。なお、本実施形態による洗浄水タンク装置は、上述した洗落し式以外の他のタイプの水洗便器（例えば、サイホン式水洗便器など）にも適用可能である。
【００２０】
図２に示すように、洗浄水タンク装置１８は、陶器製の外装タンク２０と、その内方に配置され、洗浄水が貯水される貯水タンク２２と、外装タンク２０に載せられる蓋体２４と、を備えている。
【００２１】
貯水タンク２２は、それを取り囲むように断熱体２６が設けられ、この断熱体２６を介して、所定の係合部材２８により、貯水タンク２２が外装タンク２０に取り付けられる。また、貯水タンク２２の底面には、便器本体２の導水路６に連通する排水口２２ａが形成されている。この排水口２２ａの側面に延びる排水口部材２２ｂを所定の係合部材３０で固定することによっても、貯水タンク２２が外装タンク２０に取り付けられる。
【００２２】
また、蓋体２４には、蓋体２４に形成された手洗い鉢２４ａに手洗い用の水を吐水する手洗いカラン３２が設けられている。手洗いカラン３２から吐水された手洗い鉢２４ａの水は、手洗い鉢２４ａに形成された吐水口（流入口）２４ｂにより、貯水タンク２２に流入される。この蓋体２４の下方には、吐水口２４ｂから流入する水を、排水装置７０の制御筒７８の外方に導く導水部材２５が設けられている。
【００２３】
次に、洗浄水タンク装置１８は、洗浄水給水装置３４を備えている。この洗浄水給水装置３４は、従来のものと同様のものであり、外部の水道管などの給水源（図示せず）に接続される給水管３６、給水装置用フロート３８、給水管３６と連通し、貯水タンク２２に洗浄水を吐水する吐水管４０、給水装置用フロート３８にレバー４２を介して連結される給水バルブ４４などを備えている。
【００２４】
本実施形態では、この洗浄水給水装置３４により、排水開始の所定時間後、給水を開始するようにしている。本実施形態では、貯水タンク２２の満水時の止水水位は、図２に示す位置（ＷＬ）で一定になるようにしている。また、この洗浄水給水装置３４は、手洗いカラン３２に水を供給する手洗い給水管３１を備え、便器への洗浄水の供給開始時（排水開始時）、蓋体２４の手洗いカラン３２に水の供給を開始するようにしている。
【００２５】
操作レバー４８は、一方（本実施形態では、手前側）に（９０度）回動させると、大洗浄が開始され、他方（本実施形態では、奥側）に（９０度）回動させると、大洗浄よりも洗浄水量の少ない小洗浄が開始されるように、排水装置７０を作動させる手動式の操作レバーである。また、モータ５０は、大洗浄のボタンが押されると、操作レバー４８と同一の一方（手前側）の方向に回転し、小洗浄のボタンが押されると、操作レバー４８と同一の他方（奥側）の方向に回転して、それぞれ、大洗浄或いは小洗浄が開始されるように排水装置７０を作動させるようになっている。このように、本実施形態では、使用者は、大洗浄及び小洗浄については、操作レバー４８を操作しても良いし、操作ボタン５２を押しても良い。小洗浄よりも洗浄水量の少ないエコ小洗浄については、モータ５０によってのみ、即ち、使用者が操作ボタンを押すことによって、排水装置７０が作動される。
【００２６】
これらの操作レバー４８及びモータ５０には、ワイヤ部材やユニバーサルジョイントなどにより構成される回転伝達部材５４が連結されている。この回転伝達部材５４の他端側には、その回転に伴って、回転伝達部材５４を中心に揺動する第１の引き上げ部材５６及び第２の引き上げ部材５８が取り付けられ、これらの第１の引き上げ部材５６及び第２の引き上げ部材５８の先端部には、それぞれ、第１玉鎖６０の上端部分及び第２玉鎖６２の上端部分が取り付けられている。
【００２７】
これらの第１の引き上げ部材５６及び第２の引き上げ部材５８は、回転伝達部材５４を一方側（大洗浄時）に回転させると、第１の引き上げ部材５６のみが、その一方側に揺動して第１玉鎖６０のみを引き上げ、一方、回転伝達部材５４を他方側（小洗浄時、エコ小洗浄時）に回転させると、第１の引き上げ部材５６及び第２の引き上げ部材５８の両方が、その他方側に揺動して第１玉鎖６０及び第２玉鎖６２の両方を引き上げるような機械的な機構とされている。
【００２８】
次に、図２乃至図５により、排水装置７０について説明する。
図３は本発明の一実施形態による洗浄水タンク装置の排水装置の分解斜視図であり、図４は本発明の一実施形態による洗浄水タンク装置の排水装置の断面図であり、図５は本発明の一実施形態による洗浄水タンク装置の排水装置の制御筒の斜視図であり、図６は本発明の一実施形態による洗浄水タンク装置の排水装置の斜視図である。
【００２９】
図３に示すように、本実施形態による洗浄水タンク装置の排水装置７０は、弁体７２と、オーバーフロー管７４と、筒体７６と、制御筒７８と、フロート８０と、オーバーフロー管に固定される固定部材８２と、筒体７６に形成された後述する開口部７６ｃを開閉する切替弁８４（９０、９２）と、を有する。
【００３０】
図２及び図４に示すように、弁体７２は、オーバーフロー管７４の下端部に形成された断面コ字状の弁体保持部７４ａにはめ込まれ、オーバーフロー管７４と共に上下動して、排水口２２ａを開閉する排水弁として機能する。また、オーバーフロー管７４の側面には、その上下方向の中間部に、固定部材８２を保持するための凹部７４ｂが一周にわたって延びるように形成されている。
【００３１】
次に、図４及び図５に示すように、制御筒７８には、ほぼ円筒状の外側壁７８ａと、オーバーフロー管７４の上下動をガイドする役割を有する円筒状の内側壁７８ｂと、が形成されている。また、図４に示すように、制御筒７８には、これらの側壁７８ａ、７８ｂと共に洗浄水を貯水可能にする中間水平壁７８ｃが形成され、これらの側壁７８ａ、７８ｂ及び中間水平壁７８ｃにより貯水筒（貯水部）７８ｄが構成される。
【００３２】
また、貯水筒７８ｄの外側壁７８ａには、貯水筒７８ｄ内に貯水された洗浄水を所定の流量で流出させるための２つの小穴７８ｅ、７８ｆが形成されている。そして、一方の小穴７８ｅは、スライド部材（切替部材）８６によりスライドして開閉可能となっており、貯水筒７８ｄ内から流出させる洗浄水の流量を調節することが出来るようになっている。
また、制御筒７８の外側壁７８ａには、上述した貯水筒７８ｄより下方部分に、排水時に、制御筒７８の外方側の洗浄水を排水口２２ａに流入させるための流入口７８ｇが形成されている。
【００３３】
次に、図４に示すように、上述した貯水筒７８ｄの内方にフロート８０が配置されている。この上方には、所定の機能を有する固定部材８２が、上述したオーバーフロー管７４の凹部７４ｂ内に側方からはめ込まれ、これにより、固定部材８２は、オーバーフロー管７４に対して水平方向に回転できるように取り付けられ、一方、オーバーフロー管７４に対して上下方向には移動出来ないよう固定されるようになっている。
【００３４】
固定部材８２には、第１の引き上げ部材５６に取り付けられた第１玉鎖６０の下端部分が取り付けられ、排水時に、オーバーフロー管７４を引き上げるために使用される。使用者が操作レバー４８を回転させ、或いは、洗浄のボタンが押されモータ５０が作動されると、第１玉鎖６０が引き上げられるが、その際に、オーバーフロー管７４の弁体７２は貯水タンク２２内に貯水されている洗浄水のヘッド圧により鉛直下方向に抑えられているため、先ず、固定部材８２がオーバーフロー管７４に対して水平方向に回転し、その後、オーバーフロー管７４が鉛直上方に移動することになる。
このような構成により、オーバーフロー管７４が回転しながら鉛直方向上方に移動することを防ぐことができ、排水装置７０の開弁動作を安定させることができる。
【００３５】
次に、固定部材８２は、満水時には、フロート８０の上昇を抑えるストッパとしての機能を有し、排水時には、後述するように、オーバーフロー管７４及び弁体７２が、フロート８０の下降と連動して下降するよう、オーバーフロー管７４とフロート８０とを接続する機能を有する。固定部材８２は、これらの機能を有するように、フロート８０の上面に十分に当接するような形状及び大きさに形成されている。ここで、フロート８０の浮力は、満水時、弁体７２にかかる水圧によりオーバーフロー管７４及び弁体７２を上昇させないような浮力に設定され、排水時には、オーバーフロー管７４及び弁体７２にかかる下方向きの力よりやや大きい浮力に設定されている。なお、フロート８０とオーバーフロー管７４とを互いに固定して、常時接続するようにしても良い。
【００３６】
次に、図３及び図６に示すように、筒体７６は、その横断面形状がほぼ矩形状に形成され、４辺の上縁部７６ａを有し、上方が開放されている。また、筒体７６は、矩形状に形成された筒体７６の４つの側面のうち、１つの側面７６ｂにのみ、開口部７６ｃが１つだけ形成されている。開口部７６ｃは、矩形状に形成されている。
そして、この開口部７６ｃを開閉可能な切替弁８４として、図３、図４及び図６に示すように、第１切替弁９０及びその外方側に設けられる第２切替弁９２が設けられている。
【００３７】
図３に示すように、筒体７６は、開口部７６ｃの下方且つ側方の両側に軸７６ｄを備え、第１切替弁９０は、それらの軸７６ｄにより揺動自在に嵌められる受部９０ａを備え、第２切替弁９２には、その受部９０ａに揺動自在に嵌められる孔部９２ａが形成されている。そして、図６に示すように、筒体７６に第１切替弁９０及び第２切替弁９２が取り付けられると、それらの軸７６ｄ、受部９０ａ、孔部９２ａにより、軸体９４が構成される。
従って、第１切替弁９０は、この軸体９４により、軸体９４を中心に、下方位置から開口部７６ｃを閉じる位置まで揺動可能になり、第２切替弁９２は、下方位置から開口部７６ｃを閉じた第１切替弁９０に隣接する位置まで揺動可能になっている。
【００３８】
次に、図３、図４及び図６に示すように、第１切替弁９０には、第１切替弁９０が開口部７６ｃを閉じたとき、筒体７６の外方と内方とを連通させる連通口９０ｂが形成されている。この連通口９０ｂの開口断面積は、開口部７６ｃの開口断面積よりも小さく、その大きさは、開口部７６ｃを全開にしたときより、洗浄水の流量が所定量少なくなるような大きさに形成されている。このように、第１切替弁９０は、筒体７６の開口部７６ｃの開口断面積を調節（減少）することが出来るようになっている。
【００３９】
次に、第２切替弁９２には、第１切替弁９０側に向けて延びる突出部９２ｂが形成されている。この突出部９２ｂは、第２切替弁９２が第１切替弁９０に近接され或いは隣接されたとき、第１切替弁９０の連通口９０ｂに挿入可能な位置及び角度に形成されている。
また、この第２切替弁９２には、上述した軸体９４の反対側の先端位置に、第２の引き上げ部材５８に取り付けられた第２玉鎖６２の下端部分が取り付けられている。また、第１切替弁９０には、錘９６が取り付けられ、第２切替弁９２には、錘９８が取り付けられている。
【００４０】
図２及び図４に示すように、筒体７６の内方に制御筒７８が取り付けられ、図２に示すように、筒体７６及び制御筒７８は、排水口２２ａを取り囲むように貯水タンク２２の底部に取り付けられ、これにより、オーバーフロー管７４が上下動可能に構成され、弁体７２が排水口２２ａを開閉するようにされている。
このとき、図２及び図４に示すように、制御筒７８及び筒体７６は、それぞれ、制御筒７８の貯水筒（貯水部）７８ｄの外側壁７８ａに形成された小穴７８ｅ、７８ｆが、筒体７６に形成された開口部７６ｃの反対側に位置するように取り付けられている。
【００４１】
上述した構成により、貯水タンク２２の排水口２２ａから水洗大便器１へと供給される洗浄水の水量が、大洗浄モード、小洗浄モード、エコ小洗浄モードの多段階が得られるよう、筒体７６の開口部７６ｃの開口断面積を調節可能に開閉する切替弁９０、９２を有するので、効果的に、簡単な構造で、多段階の洗浄水量を得ることが出来る。その結果、近年の節水ニーズの要請も満たすことが出来る。
また、第１切替弁９０には、その開口断面積が筒体７６の開口部７６ｃの開口断面積より小さく、筒体７６の開口部７６ｃを閉じたとき筒体７６の外方と内方とを連通させる連通口９０ｂが形成され、第２切替弁９２は、第１切替弁９０に近接されたとき、第１切替弁９０に形成された連通口９０ｂの開口断面積を減少させるように形成されているので、それらの切替弁の位置を上述したように調節するだけで、筒体７６の開口部７６ｃを全開にして得られる大洗浄モードと、筒体７６の開口部７６ｃの開口断面積を第１切替弁９０の連通口９０ｂの開口断面積と同程度の開口断面積まで減少させて得られる小洗浄モードと、筒体７６の開口部７６ｃの開口断面積を第１切替弁９０の連通口９０ｂの開口断面積より小さくして得られるエコ小洗浄モードの３段階の洗浄水量を容易に得ることが出来る。また、連通口９０ｂを形成した第１切替弁９０及びその連通口９０ｂの開口断面積を減少させる突出部９２ｂを有する第２切替弁９２という簡単な構成により多段階洗浄を達成することが出来る。
【００４２】
次に、図７により、導水部材２５について説明する。
図７は、本実施形態による洗浄水タンク装置の導水部材の斜視図である。
【００４３】
図７に示すように、導水部材２５は、樹脂で一体成型されたものであり、貯水タンク２２の前後方向（貯水タンクの幅が狭い方向）に延びる本体部２５ａと、本体部２５ａの両側に設けられた取付部２５ｂとを有する。
【００４４】
取付部２５ｂは、断面コ字状のクリップ状に形成され、それぞれ、貯水タンク２２の上縁部に上方から引っ掛けて固定されている。
本体部２５ａには、回転伝達部材５４、第１の引き上げ部材５６及び第２の引き上げ部材５８を支持するための穴（図示せず）が設けられている。
【００４５】
本体部２５ａの上部には、手洗いカラン３２から吐水され、手洗い鉢２４ａに形成された吐水口２４ｂから貯水タンク２２に流入する洗浄水を受け止める受部２５ｄと、その受部２５ｄの外周縁の所定の範囲に形成された第１の縦壁部２５ｅ及び第２の縦壁部２５ｆとが形成され、第１の縦壁部２５ｅ及び第２の縦壁部２５ｆにより２つの導水口２５ｇが形成される。
【００４６】
２つの導水口２５ｇは、平面視で、上述した制御筒７８の外側壁７８ａより外方側に位置している。また、２つの導水口２５ｇは、一端（第２の縦壁部２５ｆ側）から他端（第１の縦壁部２５ｅ側）に向けて突出したリブ２５ｈを備える。
２つのリブ２５ｈは、一端から他端に亘って、一端から他端に向けて高さが小さくなるよう形成される。具体的には、一端側のリブ２５ｈの底面は受部２５ｄの底面と連続して形成され、一端側の天面は第２の縦壁部２５ｆの高さ方向の半分より下の位置に形成され、この天面が他端側の受部２５ｄの底面へ側面視で直線状に下降するよう形成される。即ち、２つのリブ２５ｈは、側面視にて三角形状に形成される。
なお、本発明はこのような形態に限定されるものではなく、リブは他の形状に形成されてもよく、例えば、側面視で台形状に形成されてもよいし、受部２５ｄの底面と連続して形成されていなくともよい。
【００４７】
受部２５ｄは、導水部材２５が貯水タンク２２に取り付けられたとき、平面視で、手洗い鉢２４ａに形成された吐水口２４ｂの中心位置と、ほぼ合うように形成されている。また、受部２５ｄの大きさ自体も、吐水口２４ｂの大きさより、十分大きく形成されている。即ち、吐水口２４ｂから流入する洗浄水は、受部２５ｄで受け止められるようになっている。
そして、受部２５ｄで受け止められた洗浄水は、第１の縦壁部２５ｅにより、所定時間、受部２５ｄで滞留し、その所定時間の間は、貯水タンク２２側、特に、貯水筒７８ｄ内には流入しないようになっている。所定時間経つと、受部２５ｄで滞留していた洗浄水は、所定時間滞留されていた分だけ大きな流量で、２つの導水口２５ｇから側方に向けて、貯水タンク２２に流出されるようになっている。
【００４８】
ここで、上述したように、本実施形態の大洗浄モード及び小洗浄モードにおいて、制御筒７８の貯水筒（貯水部）７８ｄ内の洗浄水の水位の低下速度は、弁体７２による閉弁タイミングを定めるための重要な要素であり、エコ小洗浄モードにおいても、貯水等７８ｄ内の洗浄水の水位が低下しないと、閉弁タイミングが遅れるという問題が生じる。
一方、本実施形態のタンク装置では、蓋体に手洗いカラン３２が設けられ、手洗い鉢２４ａに形成された吐水口２４ｂから洗浄水が貯水タンク２２に流入するようになっており、この洗浄水が貯水筒７８ｄ内に流入すると、貯水筒７８ｄ内の洗浄水の水位の低下速度が変化し、或いは、全く低下しなくなったりすることにより、いずれの洗浄モードにおいても、閉弁タイミングが遅れて、所望の洗浄水量が得られなくなるという問題が生じる。
【００４９】
これに対し、上述した本発明の一実施形態における洗浄水タンク装置１８では、蓋体２４の手洗い鉢２４ａに形成された吐水口２４ｂから貯水タンク２２に流入する洗浄水を、貯水筒７８ｄの外方に導く導水部材２５を設けているので、手洗い鉢２４ａに形成された吐水口２４ｂから貯水筒７８ｄに洗浄水が流入することを抑制することが出来る。特に、蓋体２４の手洗い鉢２４ａに形成された吐水口２４ｂから貯水タンク２２に流入する洗浄水の水勢が比較的弱い際も、リブ２５ｈにより導水口２５ｇの断面積が狭まり、洗浄水の流速を上げることができるため、少量の洗浄水が受部２５ｄ底面からその裏面（本体部２５ａ側の面）に伝わり貯水筒７８ｄに向かうことを抑制することができる。
その結果、貯水筒７８ｄ内の水位の低下速度により弁体７２の排水口２２ａの閉弁タイミングを制御する本実施形態の上述したような構成の排水装置７０において、その動作を安定させることが出来る。例えば、仮に、手洗い鉢２４ａに形成された吐水口２４ｂから、貯水筒７８ｄに洗浄水が流入した場合、貯水筒７８ｄ内の水位の低下速度は遅くなり、その分、弁体７２が排水口２２ａを閉止するタイミングが遅くなり、所望する以上の洗浄水量が便器に供給されるが、本実施形態によれば、このような閉弁タイミングの遅延は防止され、近年の節水ニーズに応えることが出来る。従って、筒体７６及び切替弁９０、８２で洗浄水量を調節するようにした排水装置７０を手洗い付きのタンクに適用することが可能となる。
【００５０】
また、上述した本発明の一実施形態における洗浄水タンク装置１８では、リブ２５ｈは、一端から他端に向けて高さが小さくなるよう形成されている。そのため、手洗い排水が比較的高流量の場合において、導水口２５ｇにて流れが滞ることを抑制することができ、導水部材２５の第１の縦壁部２５ｅ及び第２の縦壁部２５ｆから洗浄水が溢れ出ることを抑制することができる。
【符号の説明】
【００５１】
１    水洗大便器
６    導水路
１８    洗浄水タンク装置
２０    外装タンク
２２    貯水タンク
２２ａ  排水口
２４    蓋体
２４ａ  手洗い鉢
２４ｂ  吐水口
２５    導水部材
２５ａ  本体部
２５ｂ  取付部
２５ｄ  受部
２５ｅ  第１の縦壁部
２５ｆ  第２の縦壁部
２５ｇ  導水口
２５ｈ  リブ
３２    手洗いカラン
３４    洗浄水給水装置
４６    操作装置
４８    操作レバー
５２    操作ボタン
５４    回転伝達部材
５６    第１の引き上げ部材
５８    第２の引き上げ部材
６０    第１玉鎖
６２    第２玉鎖
７０    排水装置
７２    弁体
７４    オーバーフロー管
７４ａ  弁体保持部
７４ｂ  凹部
７６    筒体
７６ａ  筒体の上縁部
７６ｂ  筒体の一側面
７６ｃ  筒体の開口部
７８    制御筒
７８ｄ  貯水筒
７８ｅ  小穴
７８ｆ  小穴
７８ｇ  流入口
８０    フロート
８２    固定部材
８６    スライド部材
９０    第１切替弁
９２    第２切替弁
９２ｂ  突出部
９４    軸体
【図１】
0006662138.tif 000002
【図２】
0006662138.tif 000003
【図３】
0006662138.tif 000004
【図４】
0006662138.tif 000005
【図５】
0006662138.tif 000006
【図６】
0006662138.tif 000007
【図７】
0006662138.tif 000008